(57)【要約】【課題】スリーブ継手を利用したプレキャストコンクリート部材の接合方法において、面倒な操作なしに、ワンタッチで雇い筋（接続用の鉄筋）の移動を行うことができるので、ＰＣａ部材の吊り込みも制限を受けることがない。【解決手段】スリーブ継手を利用したプレキャストコンクリート部材の接合方法において、一方のプレキャストコンクリート部材１に雇い筋６（接続用の鉄筋）と雇い筋（接続用の鉄筋）の押し出し機構７を内蔵した特殊スリーブ３を内設し、相手方プレキャストコンクリート部材２のスリーブ４に向けて押し出し機構７により雇い筋６を押し出し挿入する。【選択図】  図１
2015200146.tif 000002
【特許請求の範囲】
【請求項１】
スリーブ継手を利用したプレキャストコンクリート部材の接合方法において、一方のプレキャストコンクリート部材に雇い筋（接続用の鉄筋）と雇い筋（接続用の鉄筋）の押し出し機構を内蔵した特殊スリーブを内設し、相手方プレキャストコンクリート部材のスリーブに向けて押し出し機構により雇い筋を押し出し挿入することを特徴としたプレキャストコンクリート部材の接合方法。
【請求項２】
特殊スリーブの開口には雇い筋（接続用の鉄筋）係止のストッパーを設け、プレキャストコンクリート部材接合時にはその係止を解除する請求項１記載のプレキャストコンクリート部材の接合方法。
【請求項３】
スリーブ継手を利用した鉄筋継手接合に使用するプレキャストコンクリート部材であって、雇い筋と雇い筋の押し出し機構を内蔵した特殊スリーブを内設し、特殊スリーブ継手開口には雇い筋係止のストッパーを設けたことを特徴とするプレキャストコンクリート部材。
【請求項４】
雇い筋係止めのストッパーは閂であり、横並びの特殊スリーブの開口の複数に架け渡す請求項３記載のプレキャストコンクリート部材。
【発明の詳細な説明】
【技術分野】
【０００１】
本発明は、建築工事におけるＰＣａ部材（プレキャストコンクリート部材）の接合方法およびそれに使用するＰＣａ部材（プレキャストコンクリート部材）に関するものである。
【背景技術】
【０００２】
鉄筋継手は対向する二つの鉄筋定着手段を有し、これに接合しようとする一対の鉄筋の端部を定着することにより一対の鉄筋の突き合わせ接合がなされる。
【０００３】
該定着手段には各種のものがあるがその一つにスリーブモルタル方式の定着手段がある。これはスリーブと称される筒体の中に鉄筋端部を挿入し該スリーブ内に充填されたグラウト（流動性の大きなモルタル）の硬化により鉄筋をスリーブ内に定着する方式の定着手段である。
【０００４】
ＰＣａ部材（プレキャストコンクリート部材）の接合において、スリーブ継手を利用した鉄筋継手接合方法は、下記特許文献１にも開示されているが、一般に第一のＰＣａ部材に接続すべき第二のＰＣａ部材の端部に筒状のスリーブを埋設しておき、当該スリーブ内において両ＰＣａ部材の鉄筋同士を突き合わせつつ、両ＰＣａ部材同士を対向させ、その後、スリーブ内に充填材を充填する。
【特許文献１】特開平１０−１４７９７８号公報
【０００５】
このような、一方のＰＣａ部材に通常のスリーブ継手を埋設し、これにもう一方のＰＣａ部材から突出した主筋を挿入する従来の方法では、柱部材では上方から下方に向けてＰＣａ部材を降下させながら簡便に行えるのに対して、梁部材では横方向にＰＣａ部材を移動させながら行わなければならないという問題がある。
【０００６】
さらに図３は現場の説明図で、αは柱、βは梁、γはパネルゾーンを示すが、前記に加えて（ｉ）パネルゾーンγと梁βが一体になったＰＣａ部材の場合は、柱頭上で横移動を可能とするため、柱ＰＣａは“逆挿し工法”とならざるを得ない。
【０００７】
また、（ii）パネルゾーンγと柱αが一体になったＰＣａ部材の場合はパネルゾーンγに梁主筋を貫通させる横方向の孔を設ける工法とならざるを得ない。
【０００８】
（ｉ）（ii）いずれもＰＣａ部材の取付けや目地及び柱梁主筋貫通孔内のモルタルグラウトが難しい。
【０００９】
なお、下記特許文献はＰＣａ梁部材同士を水平移動することなく接合作業するものとして提案されたものである。
【特許文献２】特開２００８−６９５９１号公報
【００１０】
この特許文献２はプレキャスト鉄筋コンクリート梁部材同士の接合方法において、スリーブ継手を移動させる方法と、連結鉄筋を移動させる方法があり、前者は、一方の梁部材に配置された前記スリーブ継手を、他方の梁筋に向かって移動させスリーブ継手を双方の梁筋間に等しく跨らせて連結する。
【００１１】
また、後者は、一方の梁部材には、連結鉄筋を装備可能なシース管を埋め込み、プレキャスト鉄筋コンクリート梁部材の端部同士を相対峙させ、突き合わせた状態で前記シース管内の連結鉄筋を他方の梁部材の端部に埋め込まれたスリーブ継手内へ挿入して跨らせる。
【発明の概要】
【発明が解決しようとする課題】
【００１２】
前記特許文献２のスリーブ継手を他方の梁筋に向かって移動させることは、図３のパネルゾーンγでなければできない。その理由はプレキャスト鉄筋コンクリート梁部材の端部同士を相対峙させ、突き合わせた状態でスリーブ継手を他方の梁部材へ挿入して跨らせるのは不可能であることによる。
【００１３】
さらに、スリーブ継手の梁筋間の移動は奥端近傍位置に止着された紐体を牽引することでおこなわれるもので、スムーズに移動させることが難しく、その操作が面倒である。
【００１４】
連結鉄筋を他方の梁部材の端部に埋め込まれたスリーブ継手内へ挿入して跨らせる場合は手でこれを行うものとされ、凹部から手を差し入れて連結用鉄筋をスリーブ継手に向かって滑動させることが必要でその作業が面倒である。
【００１５】
本発明の目的は前記従来例の不都合を解消し、スリーブ継手を利用したプレキャストコンクリート部材の接合方法において、面倒な操作なしに、ワンタッチで雇い筋（接続用の鉄筋）の移動を行うことができるので、ＰＣａ部材の吊り込みも制限を受けることがなく、例えば、梁ＰＣａ部材も鉛直方向の吊り込みが可能となるプレキャストコンクリート部材の接合方法およびプレキャストコンクリート部材を提供することにある。
【課題を解決するための手段】
【００１６】
前記目的を達成するため本発明は、プレキャストコンクリート部材の接合方法として、第１に、スリーブ継手を利用したプレキャストコンクリート部材の接合方法において、一方のプレキャストコンクリート部材に雇い筋（接続用の鉄筋）と雇い筋（接続用の鉄筋）の押し出し機構を内蔵した特殊スリーブを内設し、相手方プレキャストコンクリート部材のスリーブに向けて押し出し機構により雇い筋を押し出し挿入すること、第２に、特殊スリーブの開口には雇い筋（接続用の鉄筋）係止のストッパーを設け、プレキャストコンクリート部材接合時にはその係止を解除することを要旨とするものである。
【００１７】
また、プレキャストコンクリート部材として、第１に、スリーブ継手を利用した鉄筋継手接合に使用するプレキャストコンクリート部材であって、雇い筋と雇い筋の押し出し機構を内蔵した特殊スリーブを内設し、特殊スリーブ継手開口には雇い筋係止のストッパーを設けたこと、第２に、雇い筋係止めのストッパーは閂であり、横並びの特殊スリーブの開口の複数に架け渡すことを要旨とするものである。
【００１８】
請求項１〜請求項３記載の本発明によれば、一方のプレキャストコンクリート部材に内設するスリーブを雇い筋（接続用の鉄筋）と雇い筋の押し出し機構を内蔵した特殊スリーブ（通常よりも長いスリーブ）とすることで、押し出し機構により雇い筋を自動的に押し出すことができる。
【００１９】
これによりプレキャストコンクリート部材同士を突き合わせ状態で、雇い筋（接続用の鉄筋）を両プレキャストコンクリート部材同士のスリーブに掛け渡すことができ、スリーブと目地をモルタルグラウトすれば、接合が完成する。
【００２０】
また、特殊スリーブ開口には雇い筋（接続用の鉄筋）係止のストッパーを設けることで、ストッパーにより雇い筋の押し出しのタイミングを確実なものとすることができる。
【００２１】
請求項４記載の本発明によれば、雇い筋係止めのストッパーを閂とすることで、横並びの特殊スリーブ継手開口の複数に架け渡して複数の雇い筋の係止および解除を閂の抜き差しで一挙に行うことができる。
【発明の効果】
【００２２】
以上述べたように本発明のプレキャストコンクリート部材の接合方法およびプレキャストコンクリート部材は、面倒な操作なしに、ワンタッチで雇い筋（接続用の鉄筋）の移動を行うことができるので、ＰＣａ部材の吊り込みも制限を受けることがなく、例えば、梁ＰＣａ部材も鉛直方向の吊り込みが可能となるものである。
【００２３】
また、柱ＰＣａ部材についても、これをクレーンで吊り込むのではなく、例えば梁上端を走行する台車で所定の柱位置に水平移動する場合、柱ＰＣａ部材を一端持ち上げて、下階からの突出主筋を柱脚埋設主筋継手に挿入しなくても良く、走行台車に揚重機能を必要としない。
【００２４】
さらに、パネルゾーンＰＣａ部に“逆挿し工法”若しくは“パネルゾーン縦貫通雇い筋工法”を用いなくても、パネルゾーンＰＣａを柱頭上を横移動することが出来ると共にパネルゾーン縦貫孔が無くなる（レンコンＰＣａではなくなる）ので、モルタルグラウト作業が簡便化する。
【００２５】
なお、パネルゾーンＰＣａ部材を柱頭上で横移動させる必要性は、梁ＰＣａ部材に本発明を用いれば無くなる。
【発明を実施するための形態】
【００２６】
以下、図面について本発明の実施の形態を詳細に説明する。図１は本発明のプレキャストコンクリート部材の接合方法およびプレキャストコンクリート部材の１実施形態を示す縦断側面図で、図中１、２はＰＣａ部材（プレキャストコンクリート部材）であり、これらはスリーブ継手を利用した接合を行うものとして、それぞれ継手用のスリーブ３、４を埋設し、その開口５をＰＣａ部材端面に顕出させた。なお、ＰＣａ部材１、２は梁ＰＣａ部材であること、柱ＰＣａ部材であることを問わない。
【００２７】
スリーブ４は通常のスリーブ、スリーブ３は通常のスリーブよりも長さの長い特殊スリーブで（長さの点で特殊と称する）、この特殊スリーブ３には雇い筋（接続用の鉄筋）６と雇い筋（接続用の鉄筋）６の押し出し機構７を内蔵した。
【００２８】
特殊スリーブ３、スリーブ４はＰＣａ部材１、２の鉄筋８に被せるもので、その内壁面上には硬化グラウトとの係合強化のため多数の環状突起１３が設けられている。
【００２９】
押し出し機構７は本実施形態ではコイルスプリングバネで、雇い筋６をスリーブ開口５の方へ押し出すように付勢する伸長バネを用い、継手用特殊スリーブ３が嵌覆する鉄筋８と雇い筋６との間に介在させた。押し出し機構７は所要の長さまで伸長するコイルスプリングバネを圧縮して雇い筋６の後部に設置する
【００３０】
なお、他の実施形態として押し出し機構７には板バネ等他のバネ、もしくは液体や気体で膨張し、その膨張力で押し出す部材、シリンダー等の伸縮機構で、伸長力で押し出す部材なども利用できる。
【００３１】
また、図示のように二つの定着手段がすべてスリーブモルタル方式の継手（１本の筒体の形状をなす）をモルタル充填式鉄筋継手またはスリーブ継手という。図示の例はこれであるが、他の実施形態としては、片方が同方式でもう一方が他の定着手段（螺着方式等）の場合のハーフスリーブ継手、特にこれが螺着方式の場合をネジスリーブ継手であってもよい。
【００３２】
特殊スリーブ３、スリーブ４の両開口付近の側壁には注入口９ａおよび排出口９ｂが設けられる。
【００３３】
ハーフスリーブ継手の場合には、スリーブ部の開口付近には注入口、他の定着手段との境界付近には排出口が設けられている。
【００３４】
特殊スリーブ３の開口５には雇い筋６の係止のためのストッパー１０を設け、ＰＣａ部材１、２の接合時にはその係止を解除する。
【００３５】
本実施形態では、ストッパー１０は、鉄筋等の鋼棒による閂であり、ＰＣａ部材接合面から出張らない様に、ＰＣａ部材１の接合面に掘られた溝１１内に配置する。
【００３６】
この溝１１には特殊スリーブ３の開口５の位置を避けて、フック１２が適宜間隔で設けられ、ストッパー１０はこのフック１２に差し入れることで、閂となる。
【００３７】
前記溝１１には特殊スリーブ３の開口５が適宜間隔で並ぶが、前記ストッパー１０は、1本がこの横並びの特殊スリーブ３の開口５の複数個に架け渡すものとした。
【００３８】
次に使用法および動作について説明する。ＰＣａ部材１は、雇い筋６の端面を抑える様にストッパー１０をＰＣａ部材断面を横断するように配置する。
【００３９】
相対するＰＣａ部材１、２を設置後、ＰＣａ部材１の外からストッパー１０を引き抜くことにより、雇い筋押し出し機構７を作動させる。この時双方のＰＣａ部材１、２共端面から主筋が突出していないのでＰＣａ部材１、２の取付けは簡単である。
【００４０】
このように双方のＰＣａ部材１、２が目地を挟んで相対して設置された後、雇い筋押し出し機構７を作動させて雇い筋６を相対する通常のスリーブ４に挿入する。
【００４１】
特殊スリーブ３、スリーブ４と目地をモルタルグラウトする。
【００４２】
なお、前記のように、特殊スリーブ３、スリーブ４に「ねじスリーブ継手」を用いてもよい。ＰＣａ打ち込み主筋を“ねじ鉄筋”とすれば「ねじスリーブ継手」を用いることが出来、継手全長を短くすることが出来る。
【００４３】
また、必要に応じて、雇い筋の径・強度をＰＣａ部材打込み主筋と変えることが出来る。
【図面の簡単な説明】
【００４４】
【図１】本発明のプレキャストコンクリート部材の接合方法およびプレキャストコンクリート部材の１実施形態を示す雇い筋押し出し前の縦断側面図である。
【図２】本発明のプレキャストコンクリート部材の接合方法およびプレキャストコンクリート部材の１実施形態を示す雇い筋押し出し後の縦断側面図である。
【図３】現場でのプレキャストコンクリート部材の配置を示す説明図である。
【図４】本発明のプレキャストコンクリート部材の要部の正面図である。
【図５】本発明のプレキャストコンクリート部材の要部の縦断側面図である。
【図６】本発明のプレキャストコンクリート部材の特殊スリーブの開口部の縦断側面図である。
【図７】本発明のプレキャストコンクリート部材の特殊スリーブの開口部の正面図である。
【符号の説明】
【００４５】
１、２…ＰＣａ部材（プレキャストコンクリート部材）
３…特殊スリーブ                ４…スリーブ
５…開口                        ６…雇い筋（接続用の鉄筋）
７…押し出し機構                ８…鉄筋
９ａ…注入口                    ９ｂ…排出口
１０…ストッパー                １１…溝
１２…フック                    １３…環状突起
【図１】
2015200146.tif 000003
【図２】
2015200146.tif 000004
【図３】
2015200146.tif 000005
【図４】
2015200146.tif 000006
【図５】
2015200146.tif 000007
【図６】
2015200146.tif 000008
【図７】
2015200146.tif 000009